(57)【要約】【課題】天面の着脱口にて不用意な引っ掛かりを防止しながら、直接簡単、容易に着脱でき、落ち水などがフィルタ室内に侵入しても直ちに問題にならないようにする。【解決手段】除湿手段３１及び加熱手段３２を備えて乾燥工程を実施する循環送風経路５の途中に異物を捕集するフィルタ９１を着脱できるように装着するフィルタ室３６を備え、フィルタ室３６は、フィルタ９１が出入りする上端の開口３６ｄ部が洗濯乾燥機本体４４の天面４４ａの着脱口５１に開口し、前記開口３６ｄ部から下に設けられる循環空気導入口７８および循環空気排出口７２よりも低位となる水溜め部１０３を設け、水溜め部１０３に循環送風経路５の加熱手段３２よりも下流に通じる逆止弁１０５付きの水流出口１０４を設けて、上記の目的を達成する。【選択図】図２
2008113724.tif 000002
【特許請求の範囲】
【請求項１】
多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を除湿手段及び加熱手段を備えた循環送風経路を通して循環させることにより洗濯物の乾燥工程を実施し、循環送風経路の途中に主として糸くずなどの異物を捕集するフィルタを着脱できるように装着するフィルタ室を備えてなるドラム式洗濯乾燥機において、
フィルタ室は、フィルタが出入りする上端開口部が洗濯乾燥機本体天面の着脱口に開口し、前記上端開口部から下に設けられる循環空気を導入する循環空気導入口、および導入した循環空気をフィルタを通して排出する循環空気排出口よりも低位となる水溜め部を設け、この水溜め部に循環送風経路の加熱手段よりも下流に通じる水流出口を設け、この水流出口に循環送風経路の内面側から閉じる逆止弁を設けたことを特徴とするドラム式洗濯乾燥機。
【請求項２】
水溜め部は、フィルタ室の循環空気導入口が設けられる前部壁と循環空気排出口が設けられる後部壁との間の底部における全範囲がなし、循環空気排出口よりも側方に外れた範囲が深い貯留部となり、そこに水流出口を有している請求項１に記載のドラム式洗濯乾燥機。
【請求項３】
循環空気導入口と循環空気排出口とは、互いに対向し合わない位置関係を満足している請求項２に記載のドラム式洗濯乾燥機。
【請求項４】
循環空気導入口および循環空気排出口は、左右方向に位置ずれし、循環空気導入口は水溜め部の上に位置している請求項３に記載のドラム式洗濯乾燥機。
【請求項５】
循環空気導入口は循環空気排出口よりも上に位置ずれしている請求項３、４のいずれか１項に記載のドラム式洗濯乾燥機。
【請求項６】
フィルタは、フォルタ室への装着時に前記着脱口を塞ぐ天板と、この天板からフィルタ室の内面にほぼ沿って下方に延びる籠形の支持枠とを備え、この支持枠にフィルタ材を支持してフィルタ室の循環空気排出口の内側に位置させている請求項１〜５のいずれか１項に記載のドラム式洗濯乾燥機。
【請求項７】
前記支持枠は、フィルタ室の上半部に設けられた循環空気導入口から循環空気を導入する上半部と、フィルタ室の下半部に設けられた循環空気排出口に対応するフィルタ材を支持した下半部とを有している請求項６に記載のドラム式洗濯乾燥機。
【請求項８】
フィルタは、マグネットを備え、フィルタ室はフィルタが所定位置に装着されたとき前記マグネットと対向して応動し外部に電気信号を出力するフィルタ検出スイッチを備えている請求項６、７のいずれか１項に記載のドラム式洗濯乾燥機。
【請求項９】
フィルタ室は、加熱手段を内蔵した加熱通路部とユニットをなし、水流出口は、加熱通路部における加熱手段の下流位置に開口している請求項１〜８のいずれか1項に記載のドラム式洗濯乾燥機。
【請求項１０】
加熱通路部は、送風手段と一体に構成され、送風手段と共にフィルタ室と結合されて前記ユニットをなしている請求項９に記載のドラム式洗濯乾燥機。
【発明の詳細な説明】
【技術分野】
【０００１】
本発明は、水槽内に水平方向もしくは水平方向から傾斜した方向に回転自在に支持された回転ドラム内で洗濯、すすぎ、脱水、乾燥の各工程を行うドラム式洗濯乾燥機に関するものである。
【背景技術】
【０００２】
このようなドラム式洗濯乾燥機は、図１に示す本発明の実施の形態のドラム式洗濯乾燥機１を参照して説明すると、多数の透孔８が形成され洗濯物を収容して回転駆動される回転ドラム２が水槽３内に設けられ、一般に、この水槽３内の給水、排水及び前記回転ドラム２の回転の制御により洗濯、すすぎ、脱水の各工程を実施すると共に、送風手段１５により水槽３内の空気を、除湿手段３１、加熱手段３２を備えた循環送風経路５を通して循環させることにより洗濯物の乾燥工程を実施するようになっている（例えば、特許文献１、２参照）。
【０００３】
ここで、除湿手段３１、加熱手段３２は、送風手段１５により水槽３内の空気を循環送風経路５に導入して除湿手段３１及び加熱手段３２を順次に通して熱交換することで除湿後に加熱した渇いた高温空気とし、これを水槽３内に送風して回転ドラム２内の洗濯物に曝すことを繰り返し効率よく乾燥させられるようにしている。
【０００４】
この乾燥工程で循環送風経路５を循環する循環空気には回転ドラム２内の洗濯物から分離した糸くずなどの異物が混入し、これが除湿手段３１や加熱手段３２に目詰まりしたり、送風手段の軸受部に噛み込んだり送風手段内各部に堆積したりして、機能不全を招く。このため、特許文献１、２に開示されているように循環送風経路の途中に異物を捕集するフィルタが設けられる。このフィルタは多くの場合特許文献１に開示されているように、ドラム、水槽からの循環空気を導入する循環空気導入管路における送風手段、除湿手段、加熱手段に対する上流側に設けられる。しかし、特許文献２は除湿手段を冷却水注入による凝縮方式を採用し、循環空気の除湿と同時に異物を加湿落下させられるようにしている技術上、注水熱交換部、送風手段、フィルタ、加熱手段の順に配置する構成を開示している。
【０００５】
いずれにしても、フィルタは捕集する異物が堆積して循環空気の通過抵抗が増大していくので、着脱できるように設けられる。特許文献１は洗濯乾燥機本体の前面の着脱口から、この着脱口を塞ぐ天板を有して直接着脱されるフィルタを開示している。また、特許文献２は洗濯乾燥機の天面に設けられた蓋付きの出し入れ口を通じ、蓋を開けた状態で加熱手段とフィルタ室が一体になった加熱・フィルタユニットに対してその着脱口から着脱されるフィルタを開示している。
【特許文献１】特開平８−２４３２９２号公報
【特許文献２】特開２００２−２００３９５号公報
【発明の開示】
【発明が解決しようとする課題】
【０００６】
しかし、特許文献１に記載のフィルタは、洗濯乾燥機本体の洗濯物を出し入れする開口の直ぐ近くに蓋板および着脱用のつまみが突出していて、人などが不用意に引っ掛かって緩みやすく、その緩みに気付かず使用が継続されてフィルタ部を素通りした異物が下流の除湿手段などに目詰まりしてしまう懸念がある。
【０００７】
また、特許文献２に記載のフィルタは、洗濯乾燥機本体の比較的高く人などが不用意に引っ掛かりにくい天面にて着脱されるものである上、出し入れ口が天面に面一な蓋板で塞がれているのでなお引っ掛かりはないし、蓋板の内側にフィルタが位置しているので不用意な引っ掛かりを受けて弛むようなことはない。しかし、フィルタを着脱するには洗濯乾燥機本体の比較的高く手作業しにくい天面において、着脱口の蓋を開いておき、開いた着脱口の奥に位置するフィルタのつまみを手で摘んで持ち上げなければならず作業しにくい。また、フィルタは比較的背の高い洗濯乾燥機本体の天面において垂直な方向に着脱するので、前方への拗れ力が働きやすくスムーズに着脱しにくい。さらに、特許文献２に記載されているように、フィルタの装着状態が緩むのを防止するのに加熱・フィルタユニットの着脱口の相対向する口縁に互いに反対向きな凸状を設け、これにフィルタの互いに向き合った係合片が弾性係合する係脱構造を採用した構成では、その係脱抵抗を伴なうフィルタの着脱を小さなつまみを摘んで行うのは容易でない。しかも、このような加熱・フィルタユニットの内部設置によるフィルタの重厚な保護構造から、天面の着脱口に蓋があるにしても着脱口と蓋との間に隙間があり、洗濯乾燥機本体の天面の着脱口部に水がこぼれたり落とされたりし、また天面にこぼれたり落とされた水が着脱口に及ぶと、その水が前記隙間を通じて洗濯乾燥機本体内に侵入して滴下するが、この滴下する水は加熱・フィルタユニットの特にフィルタ室の上に落ちても加熱・フィルタユニットの内部に入ってヒータに及ぶことは回避されても、加熱・フィルタユニット内に入らない分だけ洗濯乾燥機本体内へ伝い落ち、他の内部電装機器に及んで問題となることが考えられる。
【０００８】
本発明の目的は、天面の着脱口にて不用意な引っ掛かりを防止しながら、直接簡単かつ容易に着脱でき、しかも、落ち水などがフィルタ室内に侵入しても循環送風経路の加熱手段の下流側に戻して加熱発散させ、加熱手段や送風手段などに問題とならないフィルタ構造を備えたドラム式洗濯乾燥機を提供することにある。
【課題を解決するための手段】
【０００９】
上記目的を達成するための本発明は、多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を除湿手段及び加熱手段を備えた循環送風経路を通して循環させることにより洗濯物の乾燥工程を実施し、循環送風経路の途中に主として糸くずなどの異物を捕集するフィルタを着脱できるように装着するフィルタ室を備えてなるドラム式洗濯乾燥機において、フィルタ室は、フィルタが出入りする上端開口部が洗濯乾燥機本体天面の着脱口に開口し、前記上端開口部から下に設けられる循環空気を導入する循環空気導入口、および導入した循環空気をフィルタを通して排出する循環空気排出口よりも低位となる水溜め部を設け、この水溜め部に循環送風経路の加熱手段よりも下流に通じる水流出口を設け、この水流出口に循環送風経路の内面側から閉じる逆止弁を設けたことを特徴とする。
【００１０】
このような構成によれば、乾燥工程において循環送風経路を循環する循環空気を、循環送風経路途中のフィルタ室に装着したフィルタに通して、糸くずなどの異物を捕集するのに、フィルタは比較的背の高い洗濯乾燥機本体の天面にて着脱することにより人などが不用意に引っ掛かって弛むようなことを回避しやすい条件を満足して、かつ、洗濯乾燥機本体の天面に開口した着脱口からそこに上端開口部が開口するフィルタ室内に上方から直接、容易かつ簡単に着脱することができる。しかも、フィルタ室はその上端開口部が洗濯乾燥機本体の天面の着脱口に開口していることで、天面への落ち水などが着脱口を通じて侵入しても、フィルタ室の上端開口部から下に設けられる循環空気導入口および循環空気排出口よりも低位に有した水溜め部へ伝い落ちてそこに溜められやすくしながら、溜まった水を水流出口を通じ逆止弁をその開き方向に通過して循環送風経路の加熱手段の下流に流れ込ませ、水槽内に及ぶことはあっても上流側となる加熱手段や送風手段には除湿手段を経ずに及んで問題となる確率を低減するのに併せ、循環送風経路外の電気装備機器に及ぶようなことを回避することができる。また、逆止弁は循環送風経路側からフィルタ室側への循環空気の逆流を閉止習性またはおよび循環空気の送風圧による閉止にて防止するので、乾燥した高温空気の循環による乾燥工程を阻害することはない。
【００１１】
水溜め部は、フィルタ室の循環空気導入口が設けられる前部壁と循環空気排出口が設けられる後部壁との間の底部の全範囲がなし、循環空気排出口よりも側方に外れた範囲が深い貯留部となり、そこに水流出口を有している、さらなる構成によれば、
フィルタ室が循環空気導入口から循環空気を導入してフィルタを通し循環空気排出口から排出するための循環空気導入スペースおよびフィルタ収容スペースの全容量に見合う底部広さを利用した水溜め部にて比較的多くの侵入水を溜められる。特に、水溜め部が循環空気排出口の側方に外れて深くなる貯留部にて容量を増して多量な水の侵入にも対応できるようにしながら、その貯留部に優先的に水を溜めることで水位が高くなってもフィルタ室から循環空気排出口へ排出される循環空気に随伴されにくくして、しかも、貯留部の水を優先的に水流出口から加熱通路部へ流出させて水が溜まりにくくすることができる。
【００１２】
循環空気導入口と循環空気排出口とは、互いに対向し合わない位置関係を満足している、さらなる構成によれば、
循環送風経路を循環空気が循環している乾燥工程においてフィルタ室に水が侵入して循環空気導入口から導入される循環空気に吹き飛ばされるにしても、導入された循環空気が循環空気導入口に対向していない循環空気排出口へはストレートに向わず、曲がった経路で向うので、吹き飛ばされる水は衝突や遠心による気液分離を受けてフィルタ室内に残って水溜め部に溜められやすい。
【００１３】
循環空気導入口および循環空気排出口は、左右方向に位置ずれし、循環空気導入口は水溜め部の上に位置している、さらなる構成によれば、
フィルタ室へは循環空気導入口から左右方向の循環空気排出口のない側に導入されてから循環空気排出口の側に向うときの衝突と進路の左右方向への屈曲時の遠心力とによる気液分離を水溜め部の深い貯留部側で図って水溜め部の特に貯留部に伝い落ちさせてそこに優先的に貯留されやすくすること、及びフィルタ室の循環空気導入口側から循環空気排出口側に至って排出されるときの衝突と進路の前後方向への曲り時の遠心力による気液分離を図って水溜め部に伝い落させて、その伝い落ち位置が貯留部から循環空気排出口側になっても、貯留部での水位の方が低い間は貯留部へ流れ落ちさせて貯留し循環空気排出口から排出される循環空気に再度随伴するようなことを防止しやすくすることが、フィルタ室の左右の拡がりを利用した長い経路にて有利に行える。
【００１４】
循環空気導入口は循環空気排出口よりも上に位置ずれしている、さらなる構成によれば、
循環空気導入口からフィルタ室に導入された循環空気が循環空気排出口に向う循環気流の進路はフィルタ室の上部から下部へも変化するので、フィルタ室の左右上下の拡がりを利用したさらに長い経路での衝突、遠心力により気液分離機能が高まる。
【００１５】
フィルタは、フォルタ室への装着時に前記着脱口を塞ぐ天板と、この天板からフィルタ室の内面にほぼ沿って下方に延びる籠形の支持枠にフィルタ材を支持してフィルタ室の循環空気排出口の内側に位置させている、さらなる構成によれば、
天板が着脱口を塞ぐようにフィルタをフィルタ室に装着すれば、天板により装着口を塞いで外観を整え、ごみや水がダイレクトに侵入するのを防止しながら、籠形をした支持枠がフィルタ室の内面にほぼ沿うように位置して、循環空気導入口から循環空気を導入して循環空気排出口の内側に支持しているフィルタ材を通して循環空気排出口へとフィルタ室の広さ一杯を利用してスムーズに排出させられるのに併せ、フィルタ室の広さを前記水溜め部の広さに活かせる。
【００１６】
前記支持枠は、フィルタ室の上半部に設けられた循環空気導入口から循環空気を導入する上半部と、フィルタ室の下半部に設けられた循環空気排出口に対応するフィルタ材を支持した下半部とを有している、さらなる構成によれば、
循環空気導入口からフィルタ室および支持枠の上半部に循環空気を導入してフィルタ室および支持枠の下半部へとフィルタ室の少なくとも上下の拡がりを利用した曲がった経路にて気液分離を伴い向わせながら循環空気排出口からスムーズに排出させられる。
【００１７】
フィルタは、マグネットを備え、フィルタ室はフィルタが所定位置に装着されたとき前記マグネットと対向して応動し外部に電気信号を出力するフィルタ検出スイッチを備えている、さらなる構成によれば、
フィルタ装着、未装着がフィルタ側のマグネットとフィルタ室側のフィルタ検出スイッチとによって検出されそれに応じた電気信号が外部に出力されて、フィルタ未装着状態でのドラム式洗濯乾燥機の使用を禁止する制御に供せるので、フィルタ未装着による弊害があり、着脱口が水の大量侵入を防止できる天板で覆われない悪条件での使用を防止することができる。
【００１８】
フィルタ室は、加熱手段を内蔵した加熱通路部とユニットをなし、水流出口は、加熱通路部における加熱手段の下流位置に開口している、さらなる構成によれば、
フィルタ室及び加熱手段を内蔵加熱した通路部がユニットをなす相互の隣接構造を利用して、フィルタ室の水溜め部にある水流出口を加熱通路部における加熱手段の下流位置に短絡させて開口させられ、長い接続通路を用いる場合に比し水溜め部の水を加熱通路内にスムーズに流出させられ、洗濯乾燥機本体を組み立てる際の取り扱い部品点数を少なくすることができる。
【００１９】
加熱通路部は、送風手段と一体に構成され、送風手段と共にフィルタ室と結合されて前記ユニットをなしている、さらなる構成によれば、
加熱通路部が送風手段と一体で、フィルタ室と結合されて加熱手段、送風手段及びフィルタ室の３つが短い通路で接続したコンパクトなユニットとなり、加熱通路部は水槽の近い部分に接続できるし、フィルタ室と水槽との間も除湿手段を内蔵した短い除湿通路部で接続できるので、循環送風経路が短くなる。
【発明の効果】
【００２０】
本発明によれば、フィルタは比較的背の高い洗濯乾燥機本体の天面にて着脱し人などが不用意に引っ掛かって弛むのを回避しやすい条件にて、その天面の着脱口を通じそこに上端開口部が開口するフィルタ室内に上方から直接、容易かつ簡単に着脱することができる。また、フィルタ室が着脱口に開口することで天面への落ち水などがフィルタ室に侵入しても、その底部の水溜め部に溜めやすくし溜まった水を循環送風経路の加熱手段の下流に流れ込ませ、水槽内に及ぶことはあっても上流側となる加熱手段や送風手段には除湿手段を経ずに及ぶのを防止するのに併せ、侵入水が洗濯乾燥機本体内のフィルタ室外まわりに侵入して循環送風経路外の電気装備機器を損なうようなことを回避することができる。
【発明を実施するための最良の形態】
【００２１】
本発明の実施形態に係る図１に示すドラム式洗濯乾燥機１は、洗濯乾燥機本体４４内に図示しないサスペンション構造によって水槽３が宙吊り状態に配設され、水槽３内に有底円筒形に形成された回転ドラム２がその軸心方向を正面側から背面側に向けて下向きに傾斜させて配設されている。水槽３の正面側には回転ドラム２の開口端に通じる衣類出入口１１が形成され、洗濯乾燥機本体４４の正面側に形成された上向き傾斜面に設けられた開口部を開閉可能に閉じる扉９を開くことにより、前記衣類出入口１１を通じて回転ドラム２内に対して洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯機の作業性の悪さが改善されている。
【００２２】
回転ドラム２には、その周面に水槽３内に通じる多数の透孔８が形成され、内周面の複数位置に攪拌突起（図示せず）が設けられている。この回転ドラム２は水槽３の背面側に取り付けられたモータ７によって正転及び逆転方向に回転駆動される。また、水槽３には、図示しに注水管路及び排水管路が配管接続され、注水弁及び排水弁の制御によって水槽３内への注水及び排水がなされる。
【００２３】
扉９を開いて回転ドラム２内に洗濯物及び洗剤を投入してドラム式洗濯乾燥機１の運転を開始させると、水槽３内には注水管路から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路から排出され、回転ドラム２を高速回転させる脱水動作により洗濯物に含まれた洗濯液を脱水し、その後、水槽３内に注水管路から注水してすすぎ工程が実施される。このすすぎ工程においても回転ドラム２内に収容された洗濯物は回転ドラム２の回転により攪拌突起により持ち上げられて落下する攪拌動作が繰り返されてすすぎ洗いが実施される。
【００２４】
このドラム式洗濯乾燥機１には、回転ドラム２内に収容した洗濯物を乾燥する機能が設けられ、図１に示すような水槽３内の空気を排気して除湿し、加熱した乾燥した空気を再び水槽３内に送風する既述した循環送風経路５が形成されている。この循環送風経路５の途中には図１に示すように除湿手段３１、加熱手段３２及び送風手段１５が設けられるのが既述したように一般的であり、この送風手段１５を回転駆動することにより、循環送風経路５に空気の流れが発生して洗濯物を収容した回転ドラム２内の空気は透孔８を通じて水槽３から送風手段１５側へ排気され、送風手段１５の上流に位置する除湿手段３１に水分を結露させて除湿することと、加熱手段３２との熱交換により加熱することとで常に乾燥した高温の空気とされる。この乾燥した高温の空気は送風手段１５から水槽３へ送り出されて水槽３内に送風される。水槽３内に送風された高温の乾燥空気は透孔８を通じて回転ドラム２内に入って衣類などの洗濯物に曝されながら水槽３へと抜け、再度送風手段１５の側へと導入され、以上の循環送風経路５での空気の図１に矢印で示すような循環の繰り返しにより乾燥工程が実施される。
【００２５】
また、この循環送風経路５を利用した乾燥工程では、循環送風経路５を循環される循環空気中に主として衣類などの洗濯物から発生する糸くずなどの異物が混じって循環し、除湿手段３１や加熱手段３２の目詰まり、送風手段１５の回転部への噛み込み、送風手段１５の内面への堆積といった乾燥工程を実施するのに支障を来しやすく、面倒なメンテナンスを頻繁に行う必要があることから、循環送風経路５の途中、一例としては除湿手段３１、加熱手段３２、送風手段１５の上流側となる、例えば図１に示すような送風手段１５の上流側に、循環空気中の異物を除去する主フィルタ３５を収容したフィルタ室３６を設けることが一般的になっている。これによって、洗濯物を乾燥させた後の空気に異物が混入して除湿手段３１側に導入されてきても、フィルタ室３６を通る際に主フィルタ３５によって捕集され、下流側への循環空気に混入することはない。従って、送風手段１５、加熱手段３２、除湿手段３１の機能が長期に保全される。しかし一方では、フィルタ室３６内の主フィルタ３５には捕集された異物が堆積して循環空気の通過抵抗が徐々に増していき、乾燥機能を低下させる問題があるので、主フィルタ３５は既述した特許文献１、２に記載のように着脱できるように設けられる。
【００２６】
なお、除湿手段３１、加熱手段３２は蒸発器、凝縮器の組み合わせとして冷媒を循環させる冷媒回路で接続した圧縮機と共に空気調和機を構成するものとしてもよいが、本実施の形態では除湿手段３１は図示しない給水弁からの水の噴霧等により冷却された熱交換板としてあり、水分を含む循環空気と接触して水分を結露させて除湿する。加熱手段３２はヒータとしてある。送風手段１５は図２に示すようなシロッコタイプのブロワとしてある。
【００２７】
前記主フィルタ３５を設けるのに、本実施の形態では、特に、特許文献１、２に記載のもののような問題を解消するため、主フィルタ３５で代表するフィルタ９１は、洗濯乾燥機本体４４の天面４４ａに開口する図２、図３に示す着脱口５１から、下部より上部へ前方に傾斜した着脱経路５２でフィルタ室３６に対し着脱するようにしている。このようにすれば、乾燥工程において循環送風経路５を循環する循環空気を、循環送風経路５途中のフィルタ室３６に装着した主フィルタ３５に通して、糸くずなどの異物を捕集するのに、主フィルタ３５は比較的背の高い洗濯乾燥機本体４４の天面４４ａにて着脱することにより人などが不用意に引っ掛かって弛むようなことを回避しやすい条件を満足して、しかも、洗濯乾燥機本体４４の天面４４ａに開口した着脱口５１から、特許文献２に記載のもののような垂直な着脱経路での着脱であることによりその着脱力に前方への拗れ成分が生じやすいものに比し、拗れの生じ難い下部より上部へ前方に傾斜した着脱経路５２に沿った方向で難なくスムーズに着脱できる。それには、着脱口５１からこれに続くフィルタ室３６が主フィルタ３５の所定位置への着脱ストロークの全長にて傾斜した着脱経路５２により案内できるようにするのが好適である。
【００２８】
また、主フィルタ３５は図２に示すように、前記着脱口５１を塞ぐ天板５３を有し、この天板５３に閉じばね５４に抗して上方から押し開く蓋５５を持った手掛り凹部５６を有したものとしている。これにより、主フィルタ３５の着脱口５１を通じた装着によって、その最終に着脱口５１を天板５３で塞いで外観を図に示すようなほぼ面一状態にするなど、美観よく整え、また、人などがより引っ掛かり難くすることができるし、天板５３に設けた手掛り凹部５６に手指を掛けて安定に引き出し装着できる。特に、この手掛り凹部５６に閉じばね５４が働く蓋５５によって常時閉じておくので、手掛り凹部５６が人などの不用意な引っ掛かりの原因になりにくいし、主フィルタ３５の着脱時は手掛り凹部５６に手指をかける動作で蓋５５を押し開けるので特別な作業なしに手指を掛けて主フィルタ３５を容易かつ簡単に着脱できる。しかも、手掛り凹部５６はその開口の前部に手指を掛ける後ろ向きの手掛り縁５６ａを形成し、この手掛り縁５６ａは天板５３の前後方向ほぼ中央ないしはやや前部寄りに位置している関係から、手掛り凹部５６に手指を掛けるのに、その開口の前部に後ろ向きになった手掛り縁５６ａを有していることにより、前方から洗濯乾燥機本体４４の天面４４ａ上に腕を延ばして手掛り凹部５６に手指を入れて折り曲げる自然な動作で簡単に、しかも滑りなく手掛り縁５６ａに引っ掛かって主フィルタ３５を容易かつ確実に引き出せるし、手掛り縁５６ａに引っ掛けた手指部と天板５３の外面に沿う掌部とで天板５３を挟み持ち主フィルタ３５を安定に把持して、引出し後の持ち運びなどの取り扱いもフィルタ室３６への装着も容易に安定してできる。さらに、蓋５５はその後部が手掛り凹部５６の開口の後部にヒンジピン５７によりヒンジ連結されているので、手掛り凹部５６に手指を入れる際の蓋５５の押し開きにより手掛り縁５６ａを開放してそのまま手指を掛けられるので、着脱のための手掛り凹部５６、手掛り縁５６ａに対する指掛け作業が連続した一挙動にて簡単に行える。
【００２９】
さらに詳述すると主フィルタ３５は図２に示すように、天板５３からフィルタ室３６の内面に沿って下方に延びるように一体成形するか連結した籠形の主支持枠７１に主フィルタ材７９を支持してフィルタ室３６の循環空気排出口７２の内側に位置させ、主支持枠７１の天板５３下部分の外周にシリコンゴムなどよりなるシールパッキン７３を装着して、主フィルタ３５のフィルタ室３６の所定位置への装着時に前記シールパッキン７３が着脱口５１の内側の内周にある段部７４に圧接してフィルタ室３６を密閉するようにしてあり、主フィルタ３５とフィルタ室３６との間には主フィルタ３５の所定位置への装着時に弾性的に係合し合う図示しない弾性係合部を設けてある。これにより、天板５３で着脱口５１を塞ぐように主フィルタ３５をフィルタ室３６に装着するだけで、天板５３から下方に延びる主支持枠７１が主フィルタ材７９を伴いフィルタ室３６に挿入でき、所定の装着位置で主支持枠７１の天板５３下部分の外周に設けたシールパッキン７３の着脱口５１の内側の内周の段部７４への圧接と、弾性係合部の弾性係合とによってフィルタ室３６を密閉状態に維持するとともに、主フィルタ材７９をフィルタ室３６の循環空気排出口７２の内側に正しく位置決めできる。
【００３０】
天面壁４４ｂに開口する着脱口５１は図２、図３に示すように、天面４４ａから立ち上がる堰き部４４ｃを全周囲に有し、この堰き部４４ｃの内側に装着した主フィルタ３５の天板５３を嵌め合わせる凹部４４ｄを有したものとしている。これにより、天板５３が凹部４４ｄから単独で天面４４ａに突出しないようにして人などが引っ掛からないようにできるし、天面４４ａ上に水が少々こぼれ落ちても堰き部４４ｃにて堰き止め着脱口５１に進入するのを阻止し、洗濯乾燥機本体４４内の電気装備品を損なうのを防止できる。また、天板５３は、外周に下向きに突出する凸壁５３ａを有し、凹部４４ｄはその周壁４４ｅと内周の上向き凸部４４ｆとの間に前記凸壁５３ａを受け入れる印籠合わせとなる嵌め合わせ構造を有して天板５３を受載するようになっており、万一にも着脱口５１に水が侵入してきても、凹部４４ｄでの天板５３との印籠嵌め構造によるシール機能にて着脱口５１の内側にまで及ぶのを防止でき、電気装備品のさらなる安全が図れる。さらに、天板５３は、前記堰き部４４ｃよりもやや低くなるようにしている。これによって、水が堰き部４４ｃの上に及んでも水の表面張力によって段落ちしている天板５３側への濡れ移りを抑止することができ、これによっても電気装備品の安全が高まる。図示しないが着脱口５１とフィルタ室３６の上端の開口３６ｄとの間もシールパッキンなどでシールするのが循環送風経路5外に水が漏れ出すのを防止するのに好適である。
【００３１】
しかし、着脱口５１のまわりに堰き部４４ｃを乗り越える程度の水がこぼれ落ちると、堰き部４４ｃと天板５３との間に容易に及んで着脱口５１からフィルタ室３６に侵入しやすいし、天板５３は着脱口５１を覆うことと、着脱口５１との間の印籠合わせ構造とによって、着脱口５１を通じたフィルタ室３６への水の侵入を防止するが、天板５３上に水がこぼれ落ちると着脱口５１を通じフィルタ室３６に水が侵入しやすい。
【００３２】
フィルタ室３６に水が侵入すると、それが循環送風経路５を通じ水に対して問題となる電気装備品である送風手段１５やヒータである加熱手段３２などに及んで損なうことが考えられる。特に、本実施の形態では図１、図２、図４、図５に示すように、加熱手段３２を内蔵した加熱通路部５ａが送風手段１５と共通のケーシング１０１を有した一体構造とし、これをフィルタ室３６とねじ４８により結合して加熱手段３２、送風手段１５及びフィルタ室３６の３つが短い通路で接続したコンパクトなフィルタ・加熱・送風ユニット１０２となるようにしてあり、洗濯乾燥機本体４４の組み立てにおける取り扱い部品点数の削減が図れるほか、図１に示すように加熱通路部５ａは水槽３の近い部分に接続できるし、残るフィルタ室３６と水槽３との間は除湿手段３１を内蔵した短い除湿通路部５ｂで接続できるので、循環送風経路５が短くなり、熱効率のよいものとなる利点はあるが、フィルタ室３６に侵入した水が送風手段１５や加熱手段３２に及びやすい。
【００３３】
これに対処するため、本実施の形態では図１、図２、図３に示すように、フィルタ室３６はフィルタ９１を出入りさせる上端の開口３６ｄ部が洗濯乾燥機本体４４の天面４４ａの着脱口５１に開口する条件の基に、開口３６ｄ部から下に設けられる循環空気を導入する循環空気導入口７８、および導入した循環空気をフィルタ９１を通して排出する循環空気排出口７２よりも低位となる水溜め部１０３を設け、この水溜め部１０３に循環送風経路５の加熱手段３２よりも下流に通じる水流出口１０４を設け、この水流出口１０４に循環送風経路５の内面側から閉じる逆止弁１０５を設けている。これにより、フィルタ室３６はその上端の開口３６ｄが洗濯乾燥機本体４４の天面４４ａの着脱口５１に開口していることで、天面４４ａへの落ち水などが着脱口５１を通じて侵入しても、図２に破線矢印で示すようにフィルタ室３６の開口３６ｄ部から下に設けられる循環空気導入口７８および循環空気排出口７２よりも低位に有した水溜め部１０３へ伝い落ちてそこに溜められやすくしながら、溜まった水を水流出口１０４を通じ逆止弁１０５をその開き方向に通過して循環送風経路５の加熱手段３２の下流に流れ込ませることができる。従って、進入した水が水槽３内に及ぶことはあっても上流側となる加熱手段３２や送風手段１５には除湿手段３１を経ずに及んで問題となる確率を低減することができる。併せ、循環送風経路５外の電気装備機器に及ぶようなことを回避することができる。また、逆止弁１０５は循環送風経路５側からフィルタ室３６側への循環空気の逆流を閉止習性またはおよび循環空気の送風圧による閉止にて防止するので、乾燥した高温空気の循環による乾燥工程を阻害することはない。具体的には、水流出口１０４は図２に示すように、フィルタ室３６における貯留部１０３ａの後部壁に後方へ突出した筒状に開口して設け、加熱通路部５ａの対向壁に設けた前方に突出する筒状に開口した導入口１０６に嵌め合わせて相互間をシール１０７によりシールして加熱通路部５ａにおける加熱手段３２の下流直後の位置に開口ないしは通じるようにしてある。逆止弁１０５は、弾性による閉じ習性を有した板部材、具体的にはゴム板よりなり、水流出口１０４またはおよび導入口１０６に加熱通路部５ａの内側から当てがい外周一部の図２、図４、図５に示す矩形なフック部１０５ａを加熱通路部５ａの取り付け穴１０８に弾性的に嵌め入れて止着している。
【００３４】
また、水溜め部１０３は図２、図６に示すように、フィルタ室３６の循環空気導入口７８が設けられる前部壁と循環空気排出口７２が設けられる後部壁との間の底部全範囲がなし、循環空気排出口よりも側方に外れた範囲が深い貯留部１０３ａとなり、そこに水流出口１０４を有したものとしている。このようにすると、フィルタ室３６が循環空気導入口７８から循環空気を導入してフィルタ９１を通し循環空気排出口７２から排出するための循環空気導入スペースおよびフィルタ収容スペースの全容量に見合う底部広さを利用した水溜め部１０３にて比較的多くの侵入水を溜められる。特に、水溜め部１０３が循環空気排出口７２の側方に外れて深くなる貯留部１０３ａを有することでさらに容量を増して多量な水の侵入にも対応できるようにしながら、その貯留部１０３ａに優先的に水を溜めることで水位が高くなってもフィルタ室３６から循環空気排出口７２へ排出される循環空気に随伴されにくくして、しかも、貯留部１０３ａの水を優先的に水流出口１０４から加熱通路部５ａへ流出させて水が溜まりにくくすることができる。
【００３５】
さらに、フィルタ室３６の循環空気導入口７８と循環空気排出口７２とは図５、図６に示すように、互いに対向し合わない位置関係を満足していることにより、循環送風経路５を循環空気が循環している乾燥工程においてフィルタ室３６に水が侵入して循環空気導入口７８から導入される循環空気に吹き飛ばされるにしても、導入された循環空気が循環空気導入口７８に対向していない循環空気排出口７２へはストレートに向わず、図２、図６に実線矢印で示すように曲がった経路で向うので、吹き飛ばされる水は衝突や遠心による気液分離を受けてフィルタ室３６内に残って水溜め部１０３、貯留部１０３ａに溜められやすく、その分だけ送風手段１５や加熱手段３２に及びにくくなる。
【００３６】
特に、循環空気導入口７８および循環空気排出口７２は、左右方向に位置ずれし、循環空気導入口７８は水溜め部１０３の特に貯留部１０３ａの上に位置しているので、循環空気は循環空気導入口７８からフィルタ室３６の左右方向における循環空気排出口７２のない側に導入されてから循環空気排出口７２の側に向うときの後部壁への衝突と進路の左右方向への屈曲時の遠心力とによる気液分離をして水溜め部１０３の特に深い貯留部１０３ａの側で図って、水溜め部１０３の特に貯留部１０３ａに伝い落ちさせてそこに優先的に貯留されやすくすること、及びフィルタ室３６の循環空気導入口７８側から循環空気排出口７２側に至って排出されるときの側壁との衝突と進路の前後方向への曲り時の遠心力による気液分離を図って水溜め部１０３に伝い落せて、その伝い落ち位置が貯留部１０３ａから循環空気排出口７２側になっても、貯留部１０３ａでの水位の方が低い間は貯留部１０３ａへ流れ落ちさせて貯留し循環空気排出口７２から排出される循環空気に再度随伴するようなことを防止しやすくすることが、フィルタ室３６の左右の拡がりを利用した長い経路にて有利に行える。
【００３７】
併せ、循環空気導入口７８は循環空気排出口７２よりも上に位置ずれしていることにより、循環空気導入口７８からフィルタ室３６に導入された循環空気が循環空気排出口７２に向う循環気流の進路はフィルタ室３６の上部から下部へも変化するので、フィルタ室３６の左右上下の拡がりを利用したさらに長い経路での衝突、遠心力により気液分離機能が高まる。
【００３８】
なお、既述したようにフィルタ室３６の内面に沿って主フィルタ材７９を支持する主支持枠７１を持った主フィルタ３５は、以上のようなこのようなフィルタ室３６内の上下左右の拡がりを利用した気液分離を阻害せず好適である。具体的には図１に示すように、主支持枠７１は、フィルタ室３６の上半部３６ｂに設けられた循環空気導入口７８から循環空気を導入する上半部７１ｂと、フィルタ室３６の下半部３６ｃに設けられた循環空気排出口７２に対応する主フィルタ材７９を支持した下半部７１ｃとを有し、循環空気導入口７８からフィルタ室３６および主支持枠７１の上半部３６ｂ、７１ｂに循環空気を導入してフィルタ室３６および主支持枠７１の下半部７１ｃへとフィルタ室３６の少なくとも上下左右の拡がりを利用した曲がった経路にて気液分離を伴い向わせながら循環空気排出口７２からスムーズに排出させられる。
【００３９】
また、主フィルタ材７９は必要に応じ、循環空気導入口７８に掛からず、またバイパスさせないことを条件に、循環空気排出口７２に対応する範囲はもとより、図２に示すように循環空気排出口７２を外れる広域に主フィルタ材７９を設けて図２に実線矢印で示すように循環空気排出口７２に向う循環空気を通すのにフィルタ室３６の広さを利用することができる。これにより、主フィルタ材７９の循環空気の通過面積が増大する分だけ目詰まりしにくいものとなっている。
【００４０】
しかも、本実施の形態のフィルタ９１は図２に示すように、フィルタ室３６の循環空気導入口７８から入り循環空気排出口７２へ排出される循環空気に対し先に働くようにした主フィルタ３５に対し、その後に働くバックアップフィルタ８２との二重フィルタ構造としてある。これにより、バックアップフィルタ８２は主フィルタ３５よりも先に装着して後で取り出され、主フィルタ３５はバックアップフィルタ８２よりも後で装着され先に取り出される関係を有して設けてあり、バックアップフィルタ８２のフィルタ室３６の奥側となる下半部３６ｃからの単独の取り出しのために、前部壁に内側から手指を掛けられる手掛り凹部１３３を設けてある。バックアップフィルタ８２の装着はフィルタ室３６に上方から滑り込ませるだけで着脱経路５２によって所定位置まで案内される。
【００４１】
このために、主フィルタ３５における主支持枠７１の下半部７１ｃの外まわりにバックアップフィルタ８２におけるフィルタ室３６の下半部３６ｃの内面に沿う籠形の副支持枠１１０を持ったバックアップフィルタ８２が被さって主フィルタ材７９の外側に副フィルタ材８３を支持するようにしてある。これによってバックアップフィルタ８２がフィルタ室３６の下半部３６ｃに装着された後主フィルタ３５がフィルタ室３６の上半部３６ｂとそれに続くバックアップフィルタ８２の内側に装着されて、フィルタ室３６に導入した循環空気は主フィルタ３５の主フィルタ材７９、バックアップフィルタ８２の副フィルタ材８３を二重に通過して循環空気排出口７２に抜ける二重フィルタ構造を満足することができる。これによって、薄く空気抵抗の少ない主フィルタ材７９および副フィルタ材８３にて細かな糸くずなどの異物を確実に捕集するので、除湿手段３１、加熱手段３２、送風手段１５などの機器の機能の高い保全性能が得られるし、ほとんどの異物は先に通過する主フィルタ材７９によって捕集されるので、目詰まりは主フィルタ材７９の側で頻繁に生じ、副フィルタ材８３の側での目詰まりの回数は主フィルタ材７９の場合に比し極端に少なくなる。
【００４２】
このような、主フィルタ３５と、バックアップフィルタ８２との二重フィルタ構造に対応して、バックアップフィルタ８２には図２に示すように、バックアップフィルタ８２とフィルタ室３６の循環空気排出口７２側とを独立排気スペース９５とし、主フィルタ３５とバックアップフィルタ８２との間を独立排気スペース９６とするためのシールパッキン９４を設けている。これにより、フィルタ室３６、主支持枠７１の上半部７１ｂに導入した循環空気は、バイパスすることなく主フィルタ３５とバックアップフィルタ８２との間の独立排気スペース９６、バックアップフィルタ８２とフィルタ室３６の循環空気排出口７２側との間の独立排気スペース９５を図５に矢印で示すように順次に通過して二重フィルタ構造の異物除去後に循環空気排出口７２へと抜けて循環する。
【００４３】
さらに、主フィルタ３５及びバックアップフィルタ８２は図２に示すように、それぞれマグネット１１１、１１２を内蔵するなどして備え、フィルタ室３６は図６に示すように、主フィルタ３５及びバックアップフィルタ８２が所定位置に装着されたときそれらのマグネット１１１、１１２と個別に対向して応動し外部に電気信号を出力する１対のフィルタ検出スイッチを内蔵したフィルタ検知装置１１３を備えている。これにより、操作パネル６６の内側に設けた制御基板６７などによる制御で、主フィルタ３５、バックアップフィルタ８２の双方が装着されていなければ、使用を禁止するようにすることができ、天板５３のない状態で水がストレートに進入してしまうような状態での使用も禁止できる。
【００４４】
さらに、送風手段１５は駆動モータ１２２と併せ振動源であることに対し、それ単独または加熱手段３２を含んだケーシング１０１の図１、図２、図４〜図６に示し、既述したフィルタ室３６との一体化において、フィルタ室３６の循環空気排出口７２側に吸気口１２１側を相互間の防振構造部４３を有してねじ４８の締結により結合し一体化しており、防振構造部４３による相互間の防振作用が得られる。具体的には、防振構造部４３によって送風手段１５側の振動がフィルタ室３６の側に影響するのを防止されて、フィルタ室３６やそれに繋がる除湿通路部５ｂ、フィルタ室３６を固定している洗濯乾燥機本体４４が共振などしない。また、防振構造部４３は洗濯乾燥機本体４４に固定されたフィルタ室３６上で送風手段１５自体に対しての吸振作用も発揮するので、加熱通路部５ａに及ぶ振動も低減でき、静音性が確保できる。
【００４５】
このようなねじ４８による締結は、図２に示すような送風手段１５およびフィルタ室３６における循環空気排出口７２と吸気口１２１との間のシール１２３を設けたシール構造部の外まわりの、図４に示すような複数箇所間、具体的には３箇所間を相互間にて行っている。このため、送風手段１５は単独または加熱通路部５ａを伴ってフィルタ室３６に対し、循環空気排出口７２と吸気口１２１との間にシール構造部を有するだけで、その外まわりの複数箇所間のねじ４８の締結によりシール性を満足して接続されるし、その締結を利用して防振構造部４３が得られる。
【００４６】
さらに詳述すると、図７に示すように、締結は、送風手段１５とフィルタ室３６との互いに対向し合う締結座１５ｇ、３６ｇの一方具体的にはフィルタ室３６に前記対向し合う方向に設けた凸軸３６ｈと他方具体的には送風手段１５に設けた締結穴１５ｈとの嵌め合せ構造を有してなされる。このような締結構造に対応して防振構造部４３は、締結穴１５ｈを有した締結座１５ｇの反締結側に当てがう座金４６と前記凸軸３６ｈとの間で座金４６側からねじ４８にてねじ締めして両締結座１５ｇ、３６ｇの対向部間を締結する締結構造とを有してなされ、防振構造部４３は、前記凸軸３６ｈと締結穴１５ｈとの嵌まり合い部間と、前記両締結座１５ｇ、３６ｇの対向部間と、前記締結穴１５ｈを有した締結座１５ｇ及び座金３４間と、にブチレンゴムなどよりなる防振部材４７が介在して構成している。
【００４７】
これにより、送風手段１５とフィルタ室３６との締結し合う締結座１５ｇ、３６ｇ同士の、凸軸３６ｈと締結穴１５ｈとの嵌め合わせ構造とその嵌め合い部間への防振部材４７の挿入圧とを利用した防振部材４７による径方向の逃げの少ない弾性支持作用と、締結構造及びその締結される締結座１５ｇ、３６ｇ同士の対向部間と締結穴１５ｈを持った締結座１５ｇと座金４６間での締結圧を利用した防振部材４７による軸方向の逃げの少ない弾性支持作用と、によって、送風手段１５はフィルタ室３６に対しどの方向にも防振部材４７によって振動の伝達を断たれ、また送風手段１５自身に対する吸振がなされるので、効果的な防振が図れる。
【００４８】
さらに、防振部材４７は図８に示すような形状をなし、図６に示すように前記締結穴１５ｈと凸軸３６ｈとの嵌まり合い部間に位置する筒部４７ａと、この筒部４７ａの両端部から外方に張り出し前記両締結座１５ｇ、３６ｇの対向部間と、前記締結穴１５ｈを有した締結座１５ｇ及び座金４６間とに位置する２つのフランジ部４７ｂ、４７ｃと、を一体に有したゴム成形品としてある。従って、１つの防振部材４７によって締結し合う締結座１５ｇ、３６ｇ同士の嵌め合い構造における軸穴嵌め合い部間には筒部４７ａが、締結構造における締結座１５ｇ、３６ｇ間及び締結座１５ｇと座金４６間には前記筒部４７ａの両端部のフランジ部４７ｂ、４７ｃが位置して前記防振作用を営ませることができ、締結座１５ｇの締結穴１５ｈの一方から防振部材４７の一方のフランジ部４７ｃなどを他方へ潜らせて装着し締結に供するだけで前記のように効果的な相互間防振作用、および送風手段１５に対する吸振作用が得られる。
【００４９】
しかも、２つのフランジ部４７ｂ、４７ｃの一方が全周に、他方は周方向複数箇所で放射状に張り出した形態としてあり、放射状に張り出す複数のフランジ部４７ｃの側で締結穴１５ｈに潜らせやすくなる。図示例では連続したフランジ部４７ｂが締結座１５ｇ、３６ｇの対向部間に位置して、周方向に分割したフランジ部４７ｃが位置する場合よりも、送風手段１５およびフィルタ室３６間の直接の防振性が高まるようにしている。
【００５０】
一方、加熱通路部５ａは図４、図５に示すように、送風手段１５の排気口１２４からフィルタ室３６との結合面方向に拡張して延びた拡張域５ａ１に、それを横断するように短冊形の加熱手段３２を内蔵し、加熱手段３２より下流は加熱手段３２の下流側面が側方から臨む筒状通路５ａ２としてある。これにより、送風手段１５およびその下流の加熱通路部５ａが極めて短くコンパクトに繋がり、しかも、循環空気の加熱手段３２に対する通過面積を大きくとって熱交換域効率を高めながら、熱交換後の高温空気を水槽３を介して回転ドラム２内に供給することができる。
【産業上の利用可能性】
【００５１】
本発明は、ドラム式洗濯乾燥機における洗濯物乾燥のための循環送風系に実用されて乾燥工程での循環空気に混入する糸くずなどをフィルタで捕集する技術であって、フィルタを天面にて不用意な緩み力を受けにくく容易に着脱できるようにすることが、天面に開口するフィルタの着脱口から落ち水などが侵入する問題に対応できる。
【図面の簡単な説明】
【００５２】
【図１】本発明の実施の形態に係るドラム式洗濯乾燥機の要部構成を示す断面図。
【図２】図１のフィルタ・加熱・送風ユニットと、洗濯乾燥機本体の天面、着脱口、フィルタ室、主フィルタ、バックアップフィルタの関係を示す断面図。
【図３】図２の洗濯乾燥機本体の天面、操作パネル、着脱口、主フィルタの天板の関係を示す斜視図。
【図４】フィルタ・加熱・送風ユニットを送風ファン側から見た背面図。
【図５】フィルタ・加熱・送風ユニットを加熱通路部側から見た斜視図。
【図６】フィルタ・加熱・送風ユニットを上方やや前面側からフィルタ室を覗き込む状態で見た斜視図。
【図７】フィルタ・加熱・送風ユニットにおける送風手段とフィルタ室との防振構造部を有した締結部を示す断面図。
【図８】防振構造部の防振部材を示す斜視図。
【符号の説明】
【００５３】
１  ドラム式洗濯乾燥機
２  回転ドラム
３  水槽
５  循環送風経路
５ａ  加熱通路部
５ｂ  除湿通路部
７  モータ
８  透孔
１５  送風手段
３１  除湿手段
３２  加熱手段
３５  主フィルタ
３６  フィルタ室
３６ｂ  上半部
３６ｃ  下半部
３６ｄ  開口
３７  圧縮機
４４  洗濯乾燥機本体
４４ａ  天面
４４ｂ  上面板
５１  着脱口
５３  天板
７１  主支持枠
７１ｂ  上半部
７１ｃ  下半部
７２  循環空気排出口
７８  循環空気導入口
７９  主フィルタ材
８２  バックアップフィルタ
８３  副フィルタ材
９１  フィルタ
１０１  ケーシング
１０２  フィルタ・加熱・送風ユニット
１０３  水溜め部
１０３ａ  貯留部
１０４  水流出口
１０５  逆止弁
１１０  副支持枠
１１１  マグネット
１１３  フィルタ検知装置
【図１】
2008113724.tif 000003
【図２】
2008113724.tif 000004
【図３】
2008113724.tif 000005
【図４】
2008113724.tif 000006
【図５】
2008113724.tif 000007
【図６】
2008113724.tif 000008
【図７】
2008113724.tif 000009
【図８】
2008113724.tif 000010